(57)【特許請求の範囲】
【請求項１】
１論理セクタをユーザデータと制御情報で構成し、所定数の論理セクタで誤り訂正ブロックを構成する前記ユーザデータ及び制御情報と、物理セクタ情報であるＩＤ情報をそれぞれ別の誤り訂正ブロックで構成し、
前記ユーザデータおよび制御情報の方向と前記誤り訂正符号化の方向とを揃えて前記ユーザデータ及び制御情報で構成される誤り訂正ブロックが訂正符号化されるとともに、前記ユーザデータ及び制御情報で構成される誤り訂正ブロックとは独立に前記ＩＤ情報の誤り訂正ブロックが誤り訂正符号化され、
前記それぞれ独立に誤り訂正符号化された各誤り訂正ブロックを、独立にインターリーブさせて一つの物理構造として形成したデータフォーマットを有する光ディスク。
【請求項２】
所定数の論理セクタで誤り訂正ブロックを構成するユーザデータと、制御情報と、物理セクタ情報であるＩＤ情報とを、すべてそれぞれ別の誤り訂正ブロックで構成し、
前記ユーザデータの方向と前記誤り訂正符号化の方向とを揃えて前記ユーザデータで構成される誤り訂正ブロックが訂正符号化されるとともに、前記ユーザデータで構成される誤り訂正ブロックとはそれぞれ独立に前記制御情報の誤り訂正ブロックと前記ＩＤ情報の誤り訂正ブロックが誤り訂正符号化され、
前記それぞれ独立に誤り訂正符号化された各誤り訂正ブロックを、独立にインターリーブさせて一つの物理構造として形成したデータフォーマットを有する光ディスク。
【請求項３】
所定数の論理セクタで誤り訂正ブロックを構成するユーザデータと、制御情報および物理セクタ情報であるＩＤ情報をそれぞれ別の誤り訂正ブロックで構成し、
前記ユーザデータの方向と前記誤り訂正符号化の方向とを揃えて前記ユーザデータで構成される誤り訂正ブロックが訂正符号化されるとともに、前記ユーザデータで構成される誤り訂正ブロックとは独立に前記制御情報およびＩＤ情報の誤り訂正ブロックが誤り訂正符号化され、
前記それぞれ独立に誤り訂正符号化された各誤り訂正ブロックを、独立にインターリーブさせて一つの物理構造として形成したデータフォーマットを有する光ディスク。
【請求項４】
前記各データフォーマットにおいて、片方向の符号距離の長い誤り訂正符号（ＬＤＣ）を用い、ユーザデータ方向を誤り訂正符号方向と同じにしたデータフォーマットを有する請求項１乃至請求項３の何れか１項に記載の光ディスク。
【請求項５】
上記各データフォーマットにおいて、制御情報の入っているブロックの誤り訂正符号をユーザデータの入っているブロックの誤り訂正符号よりも訂正能力を高くしたデータフォーマットを有する請求項１至請求項３の何れか１項に記載の光ディスク。
【請求項６】
１論理セクタをユーザデータと制御情報で構成し、所定数の論理セクタで誤り訂正ブロックを構成する前記ユーザデータ及び制御情報と、物理セクタ情報であるＩＤ情報をそれぞれ別の誤り訂正ブロックで構成し、前記ユーザデータ及びび制御情報の方向と前記誤り訂正符号化の方向とを揃えて前記ユーザデータ及び制御情報で構成される誤り訂正ブロックを訂正符号化するとともに、前記ユーザデータ及び制御情報で構成される誤り訂正ブロックとは独立に前記ＩＤ情報の誤り訂正ブロックを誤り訂正符号化する手段と、
前記それぞれ独立に誤り訂正符号化された各誤り訂正ブロックを、独立にインターリーブさせて一つの物理構造として形成し、光ディスクに記録する手段と、
を有する光ディスク記録装置。
【請求項７】
所定数の論理セクタで誤り訂正ブロックを構成するユーザデータと、制御情報と、物理セクタ情報であるＩＤ情報とを、すべてそれぞれ別の誤り訂正ブロックで構成し、前記ユーザデータの方向と前記誤り訂正符号化の方向とを揃えて前記ユーザデータで構成される誤り訂正ブロックを訂正符号化するとともに、前記ユーザデータで構成される誤り訂正ブロックとはそれぞれ独立に制御情報の誤り訂正ブロックと前記ＩＤ情報の誤り訂正ブロックを誤り訂正符号化する手段と、
前記それぞれ独立に誤り訂正符号化された各誤り訂正ブロックを、独立にインターリーブさせて一つの物理構造として形成し、光ディスクに記録する手段と、
を有する光ディスク記録装置。
【請求項８】
所定数の論理セクタで誤り訂正ブロックを構成するユーザデータと、制御情報および物理セクタ情報であるＩＤ情報をそれぞれ別の誤り訂正ブロックで構成し、前記ユーザデータの方向と前記誤り訂正符号化の方向とを揃えて前記ユーザデータで構成される誤り訂正ブロックを訂正符号化するとともに、前記ユーザデータで構成される誤り訂正ブロックとは独立に前記制御情報およびＩＤ情報の誤り訂正ブロックを誤り訂正符号化する手段と、
前記それぞれ独立に誤り訂正符号化された各誤り訂正ブロックを、独立にインターリーブさせて一つの物理構造として形成し、光ディスクに記録する手段と、
を有する光ディスク記録装置。
【請求項９】
前記誤り訂正符号として、片方向の符号距離の長い誤り訂正符号（ＬＤＣ）を用い、ユーザデータ方向を誤り訂正符号方向と同じにした請求項６乃至請求項８の何れか１項に記載の光ディスク記録装置。
【請求項１０】
前記制御情報の入っているブロックの誤り訂正符号を前記ユーザデータの入っているブロックの誤り訂正符号よりも訂正能力を高くした請求項６乃至請求項８の何れか１項に記載の光ディスク記録装置。
【請求項１１】
前記記録の際に、アプリケーション側からの制御情報を、他の制御情報と組み合わせる組合せ手段と、
前記組み合わせた制御情報をドライブ内で変換する変換手段と、
前記組み合わせ及び変換した制御情報によりユーザデータを暗号化又はスクランブルする手段とを有する請求項６乃至請求項１０の何れか１項に記載の光ディスク記録装置。
【請求項１２】
前記記録の際に、アプリケーション側からの制御情報を、他の制御情報と組み合わせる組合せ手段と、
前記組み合わせた制御情報をドライブ内で変換する変換手段と、
前記組み合わせ及び変換した制御情報を、制御情報のブロックとして記録する記録手段と
を有する請求項６乃至請求項１０の何れか１項に記載の光ディスク記録装置。
【請求項１３】
所定数の論理セクタで誤り訂正ブロックを構成するユーザデータと、制御情報および物理セクタ情報であるＩＤ情報をそれぞれ別の誤り訂正ブロックで構成し、
前記ユーザデータの方向と前記誤り訂正符号化の方向とを揃えて前記ユーザデータで構成される誤り訂正ブロックを訂正符号化するとともに、前記ユーザデータで構成される誤り訂正ブロックとは独立に前記制御情報およびＩＤ情報の誤り訂正ブロックを誤り訂正符号化し、
前記それぞれ独立に誤り訂正符号化された各誤り訂正ブロックを、独立にインターリーブさせて一つの物理構造として形成し、光ディスクに記録する光ディスクの記録方法。
【請求項１４】
所定数の論理セクタで誤り訂正ブロックを構成するユーザデータと、制御情報および物理セクタ情報であるＩＤ情報とを、それぞれ別の誤り訂正ブロックで構成し、前記ユーザデータの方向と前記誤り訂正符号化の方向とを揃えて前記ユーザデータで構成される誤り訂正ブロックが訂正符号化されるとともに、前記ユーザデータで構成される誤り訂正ブロックとは独立に前記制御情報およびＩＤ情報の誤り訂正ブロックが誤り訂正符号化され、前記それぞれ独立に誤り訂正符号化された各誤り訂正ブロックを、独立にインターリーブさせて一つの物理構造として形成したデータフォーマットを有する光ディスクからデータを再生する光ディスク再生装置であって、
前記それぞれ独立に誤り訂正符号化された前記ユーザデータで構成される誤り訂正ブロックと、前記制御情報及びＩＤ情報の誤り訂正ブロックをそれぞれ独立にデコードする手段と、
前記データフォーマット中の前記制御情報およびＩＤ情報の誤り訂正ブロック内の制御情報を、アプリケーション側に他の形式で送る送信手段と
を有する光ディスク再生装置。
【請求項１５】
所定数の論理セクタで誤り訂正ブロックを構成するユーザデータと、制御情報および物理セクタ情報であるＩＤ情報とを、それぞれ別の誤り訂正ブロックで構成し、前記ユーザデータの方向と前記誤り訂正符号化の方向とを揃えて前記ユーザデータで構成される誤り訂正ブロックが訂正符号化されるとともに、前記ユーザデータで構成される誤り訂正ブロックとは独立に前記制御情報およびＩＤ情報の誤り訂正ブロックが誤り訂正符号化され、前記それぞれ独立に誤り訂正符号化された各誤り訂正ブロックを、独立にインターリーブさせて一つの物理構造として形成したデータフォーマットを有する光ディスクからデータを再生する際に、
前記それぞれ独立に誤り訂正符号化された前記ユーザデータで構成される誤り訂正ブロックと、前記制御情報及びＩＤ情報の誤り訂正ブロックをそれぞれ独立にデコードし、
前記データフォーマット中の前記制御情報およびＩＤ情報の誤り訂正ブロック内の制御情報を、アプリケーション側に他の形式で送信する
ことを特徴とする光ディスクの再生方法。
【発明の詳細な説明】
【０００１】
【発明の属する技術分野】
本発明は、ユーザデータ、ＩＤ情報、制御情報すなわちデータフォーマットの構成を改良した光ディスク、光ディスク記録装置、光ディスクの記録方法、光ディスクの再生装置、及び、光ディスクの再生方法に関する。
【０００２】
【従来の技術】
図１７に従来の光ディスクのデータフォーマットの概要を示す。
【０００３】
従来の光ディスクでは、ユーザデータ、制御情報、ＩＤ情報などが１つのブロックとして誤り訂正符号化され、訂正符号化されたデータが変調され、同期信号が付加されディスク上に記録される。ユーザデータは一般的には、上記誤り訂正符号とは別に前もって誤り検出符号化されている（ＥＤＣが付加されている）。
【０００４】
図１７のＥＣＣ構造での斜線部はパリティで、物理構造の斜線部はＦＳ（Frame Syncフレーム同期信号）である。
【０００５】
図１８にＤＶＤの例を示す。１セクタは、２Ｋバイトのユーザデータと制御情報、ＩＤ情報が付加され、ＥＤＣが付加され、１ブロックは１６セクタからなり、１６セクタ分のユーザデータ、制御情報、ＩＤ情報、ＥＤＣからなる情報ワードに対して誤り訂正符号化して（パリティを付加して）構成される。ＤＶＤでは、訂正符号としてＲＳＰＣ（Reed Solomon Product Code）が用いられている（図１７と異なる）。行方向をＣ１、列方向をＣ２とする。Ｃ１はＲＳ（１８２，１７２，１１）、Ｃ２はＲＳ（２０８，１９２，１７）である。
【０００６】
ユーザデータ  ２０４８
ＥＤＣ            ４
制御              ６
ＩＤ              ６
合計        ２０６４×１６ → ＥＣＣブロック
この１ブロック分のデータは、ディスク上の１６セクタに相当する。ディスク上の１セクタは２６フレームから構成され、１フレームは９１バイトのデータから構成される。２フレームでＣ１訂正符号に相当する。ディスク上の１セクタを構成する２６フレームは１３のＣ１訂正符号に相当し、Ｃ２訂正符号方向の情報ワードに相当する１２行分とパリティワードに相当する１行分から構成される。
【０００７】
再生時には、ＦＳによりフレーム同期を取った後、ＩＤによりセクタ同期をとることにより１ブロック上でのデータ位置がわかるので、ＩＤ情報はディスク上でのデータ方向になっていなければならない。また各物理セクタ内で同じ位置に配置されている必要がある。例えば図１９では各物理セクタの先頭に位置している。ＤＶＤでは、ユーザでのデータ方向とディスク上でのデータ方向は同じである。なお、ここでの説明においては、スクランブルなどの動作は省略する。
【０００８】
【発明が解決しようとする課題】
動画用途など、大容量で、高転送用に向いた光ディスクおよび光ディスク装置が望まれている。特に記録可能型、書換え型の光ディスクシステムで、ある程度十分な画質を保証するには、画像情報の内容によってはリアルタイムで高効率な圧縮が難しく、かなりの容量を要する。大容量化の技術としては、光学系の記録再生ビームの Hi N/A化をはかり、スキューマージンなどを確保するために、ディスクの基板厚を薄くする方法などがある。高密度化するのに加えて、ディスクを薄型にするとゴミなどの影響を受けやすいために、誤り訂正能力を上げたい。特にバーストエラーに対して強くしたい。しかしながら大容量化のためには、符号化効率をあまり下げたくない。このため符号を大きくする＝ＥＣＣブロックを大きくする。ＤＶＤで用いられているのよりも大きなＥＣＣブロック、例えばユーザデータ６４ＫＢ以上のＥＣＣブロックでは、通常用いられているＧＦ（２8 ）のＰＣ（Product Code）を用いる事は難しい。
【０００９】
そこで距離の大きい（パリティの多い）ＬＤＣ（Long Distance Code：１方向の訂正符号で、符号距離が大きなもの）を、インターリーブを深くして構成したＥＣＣブロックが向いている。
【００１０】
ＬＤＣは基本的には訂正パスが１回のため、訂正動作に必要とする時間が少なく、またユーザデータの方向を誤り訂正符号符号方向に合わせておくと、訂正動作をしながら出力できるなど書き込み読み出しを効率的に行うことができる。ユーザデータの方向を誤り訂正符号方向に合わせておくと、訂正できなかった場合の誤りが複数の論理セクタに分散することを押さえられるので、この面からもユーザデータを誤り訂正符号方向にすることは好ましい。ＬＤＣを用いる場合、バーストエラーに強くするために誤り訂正符号符号方向はディスク方向と直交（インターリーブ）させる。結局、訂正符号方向 とユーザデータ方向を一致させ、ディスク方向とは異なる（インターリーブされる）ようにすると良い。
【００１１】
図２０は大容量光ディスクに従来のデータフォーマット方式を適用した例である。１論理セクタは、２Ｋバイトのユーザデータと制御情報にＥＤＣが付加され、１ブロックは３２論理セクタとＩＤ情報からなり、３２論理セクタ分のユーザデータ（６４Ｋバイト相当）、制御情報、ＥＤＣおよびＩＤ情報からなる情報ワードに対して誤り訂正符号化して（パリティを付加して）構成される。用いる符号はＬＤＣである。
【００１２】
ユーザデータ    ２０４８
ＥＤＣ              ４
制御              ２２
ＩＤ                ６
合計          ２０７０×３２
→ ＥＣＣブロック：ＲＳ（２４０、２０８、３３）×３２０この１ブロック分のデータはディスク上では３２物理セクタに相当する。ディスク上の１物理セクタは１０フレームから構成され、１フレームは２４０バイトのデータから構成される。
【００１３】
再生時には、ＦＳによりフレーム同期を取った後、ＩＤ情報によりセクタ同期をとることにより１ブロック上でのデータ位置がわかるので、上記ＩＤ情報はディスク上でのデータ方向になっていなければならない。また各物理セクタ内で同じ位置に配置されている必要がある。例えば図２１では各物理セクタの先頭に位置している。
【００１４】
ここで、ユーザでのデータ方向とディスク上でのデータ方向を同じにしたい。しかしながら図２０を見れば分かるようＩＤ情報が邪魔になり、論理セクタを誤り訂正符号方向にする事は困難である。またパリティワードばかりの物理セクタが存在しても困る。なぜならその物理セクタにはＩＤ情報が入れられなくなるためである。よって、情報ワード、パリティワードを各物理セクタに均等に入れるなどの制限が必要となる。
【００１５】
このように、大容量、高転送用の光ディスクフォーマットおよび光ディスク装置を構成するに当たってインターリーブ長を大きく取り、符号距離の大きな誤り訂正符号（ＬＤＣ）を用いて誤り訂正能力を上げ、誤り訂正符号方向とユーザデータ方向を合わせ、記録再生速度を速くすることが考えられるがＩＤ情報、ユーザデータのパリティがお互いに影響しあい、このようなデータフォーマットを構成しづらい。
【００１６】
そこで、本発明の目的は、ユーザデータ、ＩＤ情報、制御情報すなわちデータフォーマットの構成を改良して、ＩＤ情報やユーザデータの誤り訂正符号のパリティを意識せずにユーザデータ、制御情報の方向を符号方向と同じに選ぶ事ができるようにした光ディスク、光ディスク記録装置、光ディスクの記録方法、光ディスクの再生装置、及び、光ディスクの再生方法を提供することにある。
【００１７】
【課題を解決するための手段】
本発明に係る光ディスクは、１論理セクタをユーザデータと制御情報で構成し、所定数の論理セクタで誤り訂正ブロックを構成する前記ユーザデータ及び制御情報と、物理セクタ情報であるＩＤ情報をそれぞれ別の誤り訂正ブロックで構成し、前記ユーザデータおよび制御情報の方向と前記誤り訂正符号化の方向とを揃えて前記ユーザデータ及び制御情報で構成される誤り訂正ブロックが訂正符号化されるとともに、前記ユーザデータ及び制御情報で構成される誤り訂正ブロックとは独立に前記ＩＤ情報の誤り訂正ブロックが誤り訂正符号化され、前記それぞれ独立に誤り訂正符号化された各誤り訂正ブロックを、独立にインターリーブさせて一つの物理構造として形成したデータフォーマットを有することを特徴とする。
【００１８】
また、本発明に係る光ディスクは、所定数の論理セクタで誤り訂正ブロックを構成するユーザデータと、制御情報と、物理セクタ情報であるＩＤ情報とを、すべてそれぞれ別の誤り訂正ブロックで構成し、前記ユーザデータの方向と前記誤り訂正符号化の方向とを揃えて前記ユーザデータで構成される誤り訂正ブロックが訂正符号化されるとともに、前記ユーザデータで構成される誤り訂正ブロックとはそれぞれ独立に前記制御情報の誤り訂正ブロックと前記ＩＤ情報の誤り訂正ブロックが誤り訂正符号化され、前記それぞれ独立に誤り訂正符号化された各誤り訂正ブロックを、独立にインターリーブさせて一つの物理構造として形成したデータフォーマットを有することを特徴とする。
【００１９】
さらに、本発明に係る光ディスクは、  所定数の論理セクタで誤り訂正ブロックを構成するユーザデータと、制御情報および物理セクタ情報であるＩＤ情報をそれぞれ別の誤り訂正ブロックで構成し、
前記ユーザデータの方向と前記誤り訂正符号化の方向とを揃えて前記ユーザデータで構成される誤り訂正ブロックが訂正符号化されるとともに、前記ユーザデータで構成される誤り訂正ブロックとは独立に前記制御情報およびＩＤ情報の誤り訂正ブロックが誤り訂正符号化され、前記それぞれ独立に誤り訂正符号化された各誤り訂正ブロックを、独立にインターリーブさせて一つの物理構造として形成したデータフォーマットを有することを特徴とする。
【００２０】
本発明に係る光ディスク記録装置は、１論理セクタをユーザデータと制御情報で構成し、所定数の論理セクタで誤り訂正ブロックを構成する前記ユーザデータ及び制御情報と、物理セクタ情報であるＩＤ情報をそれぞれ別の誤り訂正ブロックで構成し、前記ユーザデータ及びび制御情報の方向と前記誤り訂正符号化の方向とを揃えて前記ユーザデータ及び制御情報で構成される誤り訂正ブロックを訂正符号化するとともに、前記ユーザデータ及び制御情報で構成される誤り訂正ブロックとは独立に前記ＩＤ情報の誤り訂正ブロックを誤り訂正符号化する手段と、前記それぞれ独立に誤り訂正符号化された各誤り訂正ブロックを、独立にインターリーブさせて一つの物理構造として形成し、光ディスクに記録する手段と、を有することを特徴とする。
【００２１】
本発明に係る光ディスク記録装置は、所定数の論理セクタで誤り訂正ブロックを構成するユーザデータと、制御情報と、物理セクタ情報であるＩＤ情報とを、すべてそれぞれ別の誤り訂正ブロックで構成し、前記ユーザデータの方向と前記誤り訂正符号化の方向とを揃えて前記ユーザデータで構成される誤り訂正ブロックを訂正符号化するとともに、前記ユーザデータで構成される誤り訂正ブロックとはそれぞれ独立に制御情報の誤り訂正ブロックと前記ＩＤ情報の誤り訂正ブロックを誤り訂正符号化する手段と、前記それぞれ独立に誤り訂正符号化された各誤り訂正ブロックを、独立にインターリーブさせて一つの物理構造として形成し、光ディスクに記録する手段と、を有することを特徴とする。
【００２２】
さらに、本発明に係る光ディスク記録装置は、所定数の論理セクタで誤り訂正ブロックを構成するユーザデータと、制御情報および物理セクタ情報であるＩＤ情報をそれぞれ別の誤り訂正ブロックで構成し、前記ユーザデータの方向と前記誤り訂正符号化の方向とを揃えて前記ユーザデータで構成される誤り訂正ブロックを訂正符号化するとともに、前記ユーザデータで構成される誤り訂正ブロックとは独立に前記制御情報およびＩＤ情報の誤り訂正ブロックを誤り訂正符号化する手段と、前記それぞれ独立に誤り訂正符号化された各誤り訂正ブロックを、独立にインターリーブさせて一つの物理構造として形成し、光ディスクに記録する手段と、を有することを特徴とする。
また、本発明に係る光ディスクの記録方法は、所定数の論理セクタで誤り訂正ブロックを構成するユーザデータと、制御情報および物理セクタ情報であるＩＤ情報をそれぞれ別の誤り訂正ブロックで構成し、前記ユーザデータの方向と前記誤り訂正符号化の方向とを揃えて前記ユーザデータで構成される誤り訂正ブロックを訂正符号化するとともに、前記ユーザデータで構成される誤り訂正ブロックとは独立に前記制御情報およびＩＤ情報の誤り訂正ブロックを誤り訂正符号化し、前記それぞれ独立に誤り訂正符号化された各誤り訂正ブロックを、独立にインターリーブさせて一つの物理構造として形成し、光ディスクに記録することを特徴とする。
【００２３】
本発明は、所定数の論理セクタで誤り訂正ブロックを構成するユーザデータと、制御情報および物理セクタ情報であるＩＤ情報とを、それぞれ別の誤り訂正ブロックで構成し、前記ユーザデータの方向と前記誤り訂正符号化の方向とを揃えて前記ユーザデータで構成される誤り訂正ブロックが訂正符号化されるとともに、前記ユーザデータで構成される誤り訂正ブロックとは独立に前記制御情報およびＩＤ情報の誤り訂正ブロックが誤り訂正符号化され、前記それぞれ独立に誤り訂正符号化された各誤り訂正ブロックを、独立にインターリーブさせて一つの物理構造として形成したデータフォーマットを有する光ディスクからデータを再生する光ディスク再生装置であって、前記それぞれ独立に誤り訂正符号化された前記ユーザデータで構成される誤り訂正ブロックと、前記制御情報及びＩＤ情報の誤り訂正ブロックをそれぞれ独立にデコードする手段と、前記データフォーマット中の前記制御情報およびＩＤ情報の誤り訂正ブロック内の制御情報を、アプリケーション側に他の形式で送る送信手段とを有することを特徴とする。
また、本発明に係る光ディスクの再生方法は、所定数の論理セクタで誤り訂正ブロックを構成するユーザデータと、制御情報および物理セクタ情報であるＩＤ情報とを、それぞれ別の誤り訂正ブロックで構成し、前記ユーザデータの方向と前記誤り訂正符号化の方向とを揃えて前記ユーザデータで構成される誤り訂正ブロックが訂正符号化されるとともに、前記ユーザデータで構成される誤り訂正ブロックとは独立に前記制御情報およびＩＤ情報の誤り訂正ブロックが誤り訂正符号化され、前記それぞれ独立に誤り訂正符号化された各誤り訂正ブロックを、独立にインターリーブさせて一つの物理構造として形成したデータフォーマットを有する光ディスクからデータを再生する際に、前記それぞれ独立に誤り訂正符号化された前記ユーザデータで構成される誤り訂正ブロックと、前記制御情報及びＩＤ情報の誤り訂正ブロックをそれぞれ独立にデコードし、前記データフォーマット中の前記制御情報およびＩＤ情報の誤り訂正ブロック内の制御情報を、アプリケーション側に他の形式で送信することを特徴とする。
【００２４】
【発明の実施の形態】
以下本発明の実施の形態について図面を参照しながら詳細に説明する。
【００２５】
本発明では、ＩＤ情報と、ユーザデータ、制御情報を別のブロックで構成し、誤り訂正符号化する。
【００２６】
例えば図１に示すように、ユーザデータや制御情報はＥＣＣブロック１に、ＩＤ情報（物理セクタ情報を含む）はＥＣＣブロック２に入れる。ＥＣＣブロック１、ＥＣＣブロック２は各々独立に誤り訂正符号化する。誤り訂正符号化された（パリティが付加された）各ブロックは１つの物理構造におさめられてデータが変調され、同期信号が付加されディスク上に記録される。
【００２７】
図１７と同様ユーザデータには一般的に、上記誤り訂正符号とは別に前もって誤り検出符号化されている（ＥＤＣが付加されている）。
【００２８】
図１のＥＣＣ構造での斜線部はパリティで、物理構造の斜線部はＦＳ（フレーム同期信号）である。ＩＤ情報と、制御情報と、ユーザデータとをすべて別のブロックで構成し、誤り訂正符号化する。
【００２９】
図２に示すように、ユーザデータはＥＣＣブロック１に、制御情報はＥＣＣブロック２に、ＩＤ情報（物理セクタ情報を含む）はＥＣＣブロック３に入れる。ＥＣＣブロック１、ＥＣＣブロック２、ＥＣＣブロック３は各々独立に誤り訂正符号化する。誤り訂正符号化された（パリティが付加された）各ブロックは１つの物理構造におさめられてデータが変調され、同期信号が付加されディスク上に記録される。
【００３０】
ユーザデータには一般的に、上記誤り訂正符号とは別に前もって誤り検出符号化されている（ＥＤＣが付加されている）。図２のＥＣＣ構造での斜線部はパリティで、物理構造の斜線部はＦＳ（フレーム同期信号）である。
【００３１】
ＥＤＣをユーザデータではなく、制御情報として扱う方法もある。その場合、図２において、上記でＥＤＣはユーザデータと同じ扱いで、ブロック１に入れていたが、ＥＤＣを制御情報と同じ扱いとし、ＥＣＣブロック２に入れる。
【００３２】
制御情報が論理セクタ単位で必要なくブロック単位で構わない場合、あるいは、制御情報が論理セクタ単位で必要でもＩＤと同一ブロックで構成しやすい場合などは、ＩＤと制御情報を同じＥＣＣブロックでまとめることも考えられる。その場合、図３に示すように、ユーザデータはＥＣＣブロック１に、ＩＤ情報、制御情報はＥＣＣブロック２に入れる。
【００３３】
ＥＣＣブロック１、ＥＣＣブロック２は各々独立に誤り訂正符号化する。誤り訂正符号化された（パリティが付加された）各ブロックは１つの物理構造におさめられてデータが変調され、同期信号が付加されディスク上に記録される。
【００３４】
図３のＥＣＣ構造での斜線部はパリティで、物理構造の斜線部はＦＳ（フレーム同期信号）である。
【００３５】
ユーザデータには一般的に、上記誤り訂正符号とは別に前もって誤り検出符号化されている（ＥＤＣが付加されている）ので、図３の構成においても、論理構造においてユーザデータにすなわちＥＣＣ構造ではＥＣＣブロック１にＥＤＣが含まれている場合と、論理構造において制御情報にすなわちＥＣＣ構造ではＥＣＣブロック２にＥＤＣが含まれている場合とが考えられる。
【００３６】
以上のように情報内容によってブロックを独立にすると、お互いが影響を気にせずに構成する事が可能となる。
【００３７】
例えばＩＤ情報を意識せずにユーザデータ、制御情報の方向を符号方向と同じに選ぶ事ができる。また制御情報をユーザデータから独立させる事により扱いを変える事ができ、例えばユーザ側から直接アクセスする事、を避ける事もできる。
【００３８】
次に、図２のデータフォーマットの具体的な構成を図４乃至図８に示す。
【００３９】
１論理セクタは、２Ｋ（２０４８）バイトのユーザデータと１８バイトの制御情報が付加され、４バイトのＥＤＣが付加され、ＥＣＣブロック１は３２論理セクタからなり、３２論理セクタ分のユーザデータ（６４Ｋバイト相当）、制御情報、ＥＤＣからなる情報ワードに対して誤り訂正符号化して（パリティを付加して）構成される。ＥＣＣブロック１に用いられる符号はＲＳ（２３９、２０７、３３）であり、図４に示すように、符号数は３２０となる。
【００４０】
ユーザデータ  ２０４８
ＥＤＣ            ４
制御            １８
合計        ２０７０×３２
→ ＥＣＣブロック１：ＲＳ（２３９，２０７，３３）×３２０このＥＣＣブロック１のデータはディスク上では３２物理セクタに相当する。この物理セクタの同期、アドレッシングに用いるＩＤ情報は、上記ユーザデータ、制御情報とは別に図５に示すようなＥＣＣブロック２を構成し、このＥＣＣブロック２は６バイトのＩＤ情報、３２物理セクタ分からなり、この情報ワードに対して誤り訂正符号化して（パリティを付加して）構成される。ＥＣＣブロック２に用いられる符号は例えばＲＳ（１０，６，５）であり、符号数は３２となる。
【００４１】
ＩＤ  ６×３２ → ＥＣＣブロック２：ＲＳ（１０，６，５）×３２
ディスク上の１物理セクタは１０フレームから構成され、１フレームは２４０バイトのデータから構成される。
【００４２】
再生時には、ＦＳによりフレーム同期を取った後、ＩＤによりセクタ同期をとることにより１ブロック上でのデータ位置がわかるので、ＩＤ情報はディスク上でのデータ方向になっていなければならない。また各物理セクタ内で同じ位置に配置されている必要がある。例えば図６に示すような構成例でも各物理セクタの先頭に位置している。しかしながらＥＣＣブロック１とＥＣＣブロック２は独立しているので、論理セクタは、ＩＤ情報を気にせずに構成することが可能である。
【００４３】
符号方向と論理セクタ内のデータ方向（ユーザデータ方向、制御情報方向）を揃える事が可能である。
【００４４】
なお、ここでの説明においても、スクランブルなどの動作は省略する。
【００４５】
図６では、各物理セクタにＥＣＣブロック１の情報ワードとパリティワードを割り振っているが、ＥＣＣブロック１のデータは３２物理セクタ全体の中に入ればよいので、図７のように初めの物理セクタにＥＣＣブロック１の情報ワードを、後ろの物理セクタにパリティワードを割り振ってもよい。
【００４６】
また、インターリーブ規則を満たしていればＥＣＣブロック１上でディスク上のデータ方向を斜め方法としてもよい。物理構造上では図８のようにフレーム内でＥＣＣブロック１の情報ワードとパリティワードを割り振る形となる。ＥＣＣブロック２からのデータは各フレームの先頭１バイトとすればよい。ＩＤ情報の入っているＥＣＣブロック２の１符号（１物理セクタ分のＩＤ情報に相当する）は、１物理セクタで完結しているし、物理セクタ内でのＩＤ情報の位置も一定なので問題無い。
【００４７】
以上のようにＥＣＣブロック１に相当する領域内で、情報ワード、パリティワードの配置を気にする必要がない。
【００４８】
図３のデータフォーマットの具体的な構成を図９乃至図１１に示す。
【００４９】
１論理セクタは、４Ｋ（４０９６）バイトのユーザデータと２４バイトの制御情報が付加され、４バイトのＥＤＣが付加され、ＥＣＣブロック１はＥＤＣを含むユーザデータ１６論理セクタ分からからなり、ＥＣＣブロック２は制御情報１６論理セクタ分からからなり、上記の各ブロックの情報ワードに対して誤り訂正符号化して（パリティを付加して）構成される。ＥＣＣブロック１に用いられる符号はＲＳ（２３７，２０５，３３）であり、図９示すように符号数は３２０となる。
【００５０】
ユーザデータ  ４０９６
ＥＤＣ            ４
合計        ４１００×１６
→ ＥＣＣブロック１：ＲＳ（２３７，２０５，３３）×３２０ＥＣＣブロック２に用いられる符号はＲＳ（８０，４８，３３）であり、図１０に示すように符号数は８となる。
【００５１】
制御    ２４×１６ → ＥＣＣブロック１：ＲＳ（８０，４８，３３）×８
このＥＣＣブロック１およびＥＣＣブロック２のデータはディスク上では３２物理セクタに相当する。この物理セクタの同期、アドレッシングに用いるＩＤ情報は、上記ユーザデータ、制御情報とは別にＥＣＣブロック３を構成し、このＥＣＣブロック３は３２物理セクタ分のＩＤ情報からなり、この情報ワードに対して誤り訂正符号化して（パリティを付加して）構成される。ＥＣＣブロック３に用いられる符号は例えばＲＳ（１０，６，５）であり、図１１に示すように符号数は３２となる。
【００５２】
ＩＤ    ６×３２ → ＥＣＣブロック２：ＲＳ（１０，６，５）×３２
ディスク上の１物理セクタは１０フレームから構成され、図１２に示すように１フレームは２４０バイトのデータから構成される。
【００５３】
再生時には、ＦＳによりフレーム同期を取った後、ＩＤによりセクタ同期をとることにより１ブロック上でのデータ位置がわかるので、ＩＤ情報はディスク上でのデータ方向になっていなければならない。また各物理セクタ内で同じ位置に配置されている必要がある。しかしながらＥＣＣブロック１，２とＥＣＣブロック３は独立しているので、論理セクタは、ＩＤ情報を気にせずに構成することが可能である。
【００５４】
誤り訂正符号方向と論理セクタ内のデータ方向（ユーザデータ方向、制御情報方向）を揃える事が可能である。
【００５５】
また、ＥＣＣブロック１とＥＣＣブロック２は別に扱いやすい。例えばＥＣＣブロック２はユーザ側から直接アクセスできないようにするなどによって、ＥＣＣブロック１はユーザ側からアクセスできるようにする。
【００５６】
なお、ここでの説明においても、スクランブルなどの動作は省略する。
【００５７】
今まで述べてきたＩＤは、物理セクタの位置を求めるためのアドレス情報などに関するものであったが、論理セクタのアドレス情報が必要な場合は、別途制御情報の中に入れてもよい。
【００５８】
制御情報によりユーザデータを左右する、例えば制御情報によりユーザデータを暗号化する、スクランブルをかけるなどという場合、制御情報の入っているＥＣＣブロックの誤り訂正符号をユーザデータの入っているＥＣＣブロックの誤り訂正符号よりも訂正能力を高くしておく必要がある。
【００５９】
またＥＤＣが制御情報に入っている場合で、最終的ユーザデータに誤りがあるかないかの判断をこのＥＤＣで行う場合なども、ＥＤＣの入っているブロックのＥＣＣブロックの誤り訂正符号をユーザデータの入っているＥＣＣブロックの誤り訂正符号よりも訂正能力を高くしておく必要がある。このような場合、制御情報のＥＣＣブロックはユーザデータのＥＣＣブロックと同様に、インターリーブ長を１ブロックにまたがるまで大きくするとともにさらに符号距離は同じにして符号を短くするなどの方法をとって訂正能力をあげる。ＥＤＣが制御情報としてではなくユーザデータと同じブロックにあり、また制御情報が多重書きされている場合などは、制御情報の入っているＥＣＣブロックの訂正能力はユーザデータの入っているＥＣＣブロックよりも訂正能力が高い必要はない。
【００６０】
ＩＤ情報は同期、アクセスのためと思えば連続性を見るなどの方法があるため、ＩＤ情報の入っているＥＣＣブロックの訂正能力が高い必要はない、むしろ一般的には高速に再生、誤り検出（訂正）できる方が望ましい。同期を速くかけるためには少なくとも物理セクタ内でＩＤが再生、および誤り検出／訂正される事が望ましい。すなわちＩＤに対する誤り訂正符号はディスク方向で、セクタ内で完結していることが望ましい。
【００６１】
このように制御情報に適した誤り訂正方向（符号方向）とＩＤ情報に適した符号方向が異なる場合で、図３のように制御情報とＩＤ情報を同一ＥＣＣブロックとするには、例えばＩＤ情報に適した符号を生成しておき（ＩＤにＩＤＥを付加しておき）、その後、制御情報とともに制御情報に適した符号方向で符号化し、ＥＣＣブロック２を構成する。
【００６２】
再生専用ディスクは、以上述べてきたデータフォーマットによるデータ領域（フレーム群）の繰り返しにより構成される。ユーザデータ部分が所望のデータとなる。記録は例えばエンボスピットでなされる。
【００６３】
記録可能型ディスクおよび書換え型ディスクでは、所望のデータを所望の位置に記録するために、又は所望のデータを所望の位置から再生するためにアドレッシングを行うが、それはあらかじめディスク上に形成されているプリアドレス部を用いて行う。
【００６４】
１つの例として、ディスクを物理セクタ相当に分割し、その物理セクタ相当の単位にプリアドレスをあらかじめ記録しておく。プリアドレスを用いてアドレッシングを行い、物理セクタ相当でデータの記録再生を行うが、そのとき記録再生する単位であるデータ部は、一般的に図１３に示すようにＡＰＣ領域＋ＶＦＯ＋ＳＳ＋データ領域（フレーム群）＋ＰＯで構成される。
【００６５】
ここでのデータ領域は物理セクタ相当に分割されたものである。ＡＰＣ（Automatic Power Control）領域は記録レーザーパワーを制御する領域である。ＶＦＯは、再生時に PLL（Phase Locked Loop） を用いてクロックを抽出する領域である。ＳＳ（Sector Sync）は、物理セクタの同期信号である。ＰＯは（Post amble）は、データ後部に附属するデータである。記録動作（データ）、再生動作（データ）は、プリアドレス単位で分断されるためにＡＰＣ、ＶＦＯ、ＳＳが物理セクタ単位に必要である。
【００６６】
結局、記録可能型ディスクおよび書換え型ディスクは、プリアドレス部、データ部およびそれら間のギャップから構成される。
【００６７】
再生専用ディスクのデータ領域のデータフォーマットと、記録可能型ディスクおよび書換え型ディスクのデータ領域のデータフォーマットを共通にしておくと、回路の共通化を図れ、同一装置で再生専用ディスクも記録可能型ディスクおよび書換え型ディスクも扱う事がたやすくなる。
【００６８】
再生専用ディスクの再生装置のデータ処理ブロックが図１４である。図１の例にしたがって説明する。
【００６９】
同期・復調部１１で、フレーム同期をかけデータ復調を行い、セクタ同期をかける。セクタ同期をかけるためにＩＤの誤り検出あるいは訂正動作を行う、すなわちＥＣＣブロック２のデコードを行う。同期がかかり、復調されたデータは、アービタ１２を介してメモリ１３に取り込まれる。１ブロック分データが取り込まれると、データ処理部１４で、ユーザデータの誤り訂正が行われ、すなわちＥＣＣブロック１のデコードが行われ、デスクランブルが行われ、ＥＤＣによる誤り検出が行われる。
【００７０】
ここで、誤り訂正符号の方向とスクランブル方向とＥＤＣの方向が同じであれば、このデータ処理部内での誤り訂正後のデータ、デスクランブル後のデータ、ＥＤＣによる誤り検出後のデータをそのたびごとにメモリにデータを書き込み読み出しを行わずに、シリーズに一括で行える。
【００７１】
図２の例のように、制御情報が別のＥＣＣブロックを構成している場合は、ユーザデータに先立って制御情報の誤り訂正を行っておけば、ユーザデータの誤り訂正を行う時に必要な制御情報、ＥＤＣ（コード）が使えるようになっているために、上記と同様にユーザデータの処理がシリーズに一括で行える。誤り訂正、デスクランブル、ＥＤＣによる誤り検出検出など必要な処理が施されたユーザデータは、メモリ１３に書き込まれる。上記ＥＤＣによる誤り検出の結果ユーザデータに誤りがないことがわかったら、メモリ１３からＩ／Ｆ部１５にデータが送られる。
【００７２】
ＥＤＣによる誤り検出動作をしながらデータを出力してよい場合は、図１５に示すように、メモリ１３に書き込まずに直接出力してよい。
【００７３】
記録可能型ディスクおよび書換え型ディスクの記録再生装置では、図１６に示すように、プリアドレスからの情報をもとにデータ領域（フレーム群）を含むデータ部の制御が行われる。
【００７４】
再生は図１４とブロック構成は同じであるが、プリアドレス再生部およびそれにもとづくタイミング生成部２０からのタイミングと、ＳＳとＦＳなどの同期信号（ＦＳ）とにより同期を得ることができる。記録は、プリアドレス再生部およびそれにもとづくタイミング生成部２０からのタイミングにより前に述べたデータ部単位で記録が行われる。
【００７５】
符号化や変調、同期信号付加、ＡＰＣパターン、ＶＦＯパターン、ＰＯパターンの付加は再生の逆である。
【００７６】
【発明の効果】
以上のように情報内容によってＥＣＣブロックを独立にすると、お互いが影響を気にせずに構成する事が可能となる。例えばＩＤ情報やユーザデータの誤り訂正符号のパリティを意識せずにユーザデータ、制御情報の方向を符号方向と同じに選ぶ事ができる。
【００７７】
また制御情報をユーザデータから独立させる事により扱いを変える事ができ、例えばユーザ側から直接アクセスする事を避ける事もできる。
【００７８】
また、データフォーマットを構成するに当たって具体的な数値が選びやすい。
【図面の簡単な説明】
【図１】  ユーザデータ、制御情報とＩＤ情報を別ブロックとしたデータフォーマットの概要を示す図である。
【図２】  ユーザデータと制御情報とＩＤ情報すべてを別ブロックとしたデータフォーマットの概要を示す図である。
【図３】  ユーザデータと制御情報、ＩＤ情報を別ブロックとしたデータフォーマットの概要を示す図である。
【図４】  大容量光ディスクに図１のデータフォーマット方式を適用した例を示す図である。
【図５】  物理セクタの同期、アドレッシングに用いるＩＤ情報が上記ユーザデータ、制御情報とは別に構成するＥＣＣブロック２を示す図である。
【図６】  ＩＤ情報が各物理セクタの先頭に位置している構成例を示す図である。
【図７】  初めの物理セクタにＥＣＣブロック１の情報ワードを、後ろの物理セクタにパリティワードを割り振った構成例を示す図である。
【図８】  フレーム内でＥＣＣブロック１の情報ワードとパリティワードを割り振る形とした構成例を示す図である。
【図９】  大容量光ディスクに図２のデータフォーマット方式を適用した例を示す図である。
【図１０】  ＥＣＣブロック２の構成を示す図である。
【図１１】  ＥＣＣブロック３の構成を示す図である。
【図１２】  ディスク上の物理的なデータ構成を示す図である。
【図１３】  記録可能型ディスクおよび書換え型ディスクでのデータ部の構成例を示す図である。
【図１４】  再生専用ディスクの再生装置のデータ処理ブロックの構成を示すブロック図である。
【図１５】   誤り検出動作をしながらデータを出力してよい場合のデータ処理ブロックの構成を示すブロック図である。
【図１６】記録可能型ディスク、書換え型ディスクの記録再生装置のデータ処理ブロックの構成を示すブロック図である。
【図１７】  従来の光ディスクのデータフォーマットの概要を示す図である。
【図１８】  ＤＶＤでのデータフォーマットを示す図である。
【図１９】  ＩＤ情報が各物理セクタの先頭に位置している場合を示す図である。
【図２０】  大容量光ディスクに従来のデータフォーマット方式を適用した例を示す図である。
【図２１】  ＩＤ情報が各物理セクタの先頭に位置している場合を示す図である。
【符号の説明】
１１  同期・復調部、  １２  アービタ、  １３  メモリ、  １４  データ処理部、  １５  Ｉ／Ｆ部
【図１】
0004224875.tif 000002
【図２】
0004224875.tif 000003
【図３】
0004224875.tif 000004
【図４】
0004224875.tif 000005
【図５】
0004224875.tif 000006
【図６】
0004224875.tif 000007
【図７】
0004224875.tif 000008
【図８】
0004224875.tif 000009
【図９】
0004224875.tif 000010
【図１０】
0004224875.tif 000011
【図１１】
0004224875.tif 000012
【図１２】
0004224875.tif 000013
【図１３】
0004224875.tif 000014
【図１４】
0004224875.tif 000015
【図１５】
0004224875.tif 000016
【図１６】
0004224875.tif 000017
【図１７】
0004224875.tif 000018
【図１８】
0004224875.tif 000019
【図１９】
0004224875.tif 000020
【図２０】
0004224875.tif 000021
【図２１】
0004224875.tif 000022